(57)【要約】【課題】超音波洗浄装置では、ハウジング１内に液体が充満されていない状態の時に、液体流入口４から液体を供給した場合には、ハウジング１内に空気の泡が残り、そのために、超音波振動子３で発生した超音波がノズル２から外部に伝達しないという問題があり、又、この泡が超音波振動子３の表面に溜まり、超音波振動子３が無負荷状態となって破壊されるという問題があった。た。【解決手段】１はハウジング、２はノズル、３は超音波振動子、４は液体流入口、５はポンプ、６はタンクであり、これらの構成は上記従来例と同じであるので、説明は省略するが、本実施例では、液体流入口４に差圧センサ９が接続され、この差圧センサ９に瞬時大量液体供給装置として、バルーン１０が接続され、このバルーン１０にポンプ５が接続され、このポンプ５にタンク６が接続されている。【選択図】        図１
2004148179.tif 000002
【特許請求の範囲】
【請求項１】
ハウジングの一端に傾斜して細く絞ったノズルを設け、該ノズルの対向端に超音波振動子を装着し、前記ハウジングの側部に液体流入部を設け、前記液体流入部から供給された液体と前記超音波振動子で発生した超音波とを重畳させて前記ノズルから噴出し、前記ノズルに対向して設けた被洗浄物を洗浄するようにした超音波洗浄装置において、前記液体流入口に差圧センサを接続し、該差圧センサに瞬時大量液体供給装置を装着し、該瞬時大量液体供給装置にポンプを接続し、前記ポンプにタンクを接続してなり、前記ポンプによって前記瞬時大量液体供給装置に液体を供給し、前記差圧センサによって前記瞬時大量液体供給装置に供給された液体の圧力が所定の圧力になったことを検知した時に、前記瞬時大量液体供給装置から前面ハウジングに大量の液体を供給することにより、前記ハウジング内の泡を除去することを特徴とする超音波洗浄装置。
【請求項２】
前記瞬時大量液体供給装置はバルーンであり、前記ポンプによって供給された大量の液体を圧力をかけて溜め、前記差圧センサによって所定の圧力の時に瞬時に大量の液体を供給することを特徴とする請求項１記載の超音波洗浄装置。
【請求項３】
前面瞬時大量液体供給装置は容器の内部に上下する蛇腹を設け、該蛇腹の上面をばねで下方に押圧し、前記ポンプによって供給された大量の液体を前記ばねで圧力をかけて前記蛇腹内に溜められ、前記差圧センサによって所定の圧力の時に瞬時に大量の液体を供給することを特徴とする請求項１記載の超音波洗浄装置。
【発明の詳細な説明】
【０００１】
【発明が属する技術分野】
本発明は、ノズルの先端から液体を流出させる流水式の超音波洗浄装置にに関するものである。
【０００２】
【従来の技術】
従来は、図３に示すように、流水式の超音波洗浄装置は、ハウジング１の一端に細く絞ったノズル２を設け、このノズル２と対向する後部に超音波振動子３を装着し、ハウジング１の側部に液体流入口４を設け、この液体流入口４に接続したポンプ５によってタンク６から液体７をハウジング１に供給することにより、ノズル２から液体７が噴出されるとともに、駆動された超音波振動子３から超音波がノズル２に向けて照射され、ノズル２から液体７とともに放射される超音波でノズル２に対向して設置された被洗浄物８を洗浄するようにしている。
【０００３】
【発明が解決しようとする課題】
しかしながら、このような構成された超音波洗浄装置では、ハウジング１内に液体が充満されていない状態の時に、液体流入口４から液体を供給した場合には、ハウジング１内に空気の泡が残り、そのために、超音波振動子３で発生した超音波がノズル２から外部に伝達しないという問題があり、又、この泡が超音波振動子３の表面に溜まり、超音波振動子３が無負荷状態となって破壊されるという問題があった。
【０００４】
【課題を解決しようとする手段】
本発明は、ハウジングの一端に傾斜して細く絞ったノズルを設け、該ノズルの対向端に超音波振動子を装着し、前記ハウジングの側部に液体流入部を設け、前記液体流入部から供給された液体と前記超音波振動子で発生した超音波とを重畳させて前記ノズルから噴出し、前記ノズルに対向して設けた被洗浄物を洗浄するようにした超音波洗浄装置において、前記液体流入口に差圧センサを接続し、該差圧センサに瞬時大量液体供給装置を装着し、該瞬時大量液体供給装置にポンプを接続し、前記ポンプにタンクを接続してなり、前記ポンプによって前記瞬時大量液体供給装置に液体を供給し、前記差圧センサによって前記瞬時大量液体供給装置に供給された液体の圧力が所定の圧力になったことを検知した時に、前記瞬時大量液体供給装置から前面ハウジングに大量の液体を供給することにより、前記ハウジング内の泡を除去するものであり、又、前記瞬時大量液体供給装置はバルーンであり、前記ポンプによって供給された大量の液体を圧力をかけて溜め、前記差圧センサによって所定の圧力の時に瞬時に大量の液体を供給するものであり、さらに、前面瞬時大量液体供給装置は容器の内部に上下する蛇腹を設け、該蛇腹の上面をばねで下方に押圧し、前記ポンプによって供給された大量の液体を前記ばねで圧力をかけて前記蛇腹内に溜められ、前記差圧センサによって所定の圧力の時に瞬時に大量の液体を供給するである。
【０００５】
【発明の実施の形態】
本発明では、差圧センサにより、瞬時大量液体供給装置に溜められた液体の圧力を検知して、その圧力が所定の値になった時、差圧センサでバルブを開くと、瞬時大量液体供給装置より、大量の液体を一度にハウジング内に供給するので、ハウジング内の気体は瞬時にノズルより放出され、ハウジング内に泡が無くなり、液体及び超音波の放出が速やかに行われる。
【０００６】
【実施例】
図１は本発明の実施例の超音波洗浄装置の構成図で、１はハウジング、２はノズル、３は超音波振動子、４は液体流入口、５はポンプ、６はタンクであり、これらの構成は上記従来例と同じであるので、説明は省略するが、本実施例では、液体流入口４に差圧センサ９が接続され、この差圧センサ９に瞬時大量液体供給装置として、バルーン１０が接続され、このバルーン１０にポンプ５が接続され、このポンプ５にタンク６が接続されている。
【０００７】
このように構成した本実施例の超音波洗浄装置では、差圧センサ９のバルブを閉じ、ポンプ５からバルーン１０に液体を供給すると、液体は徐々に圧力を増し、この液体の圧力が予め決められた値になったことを差圧センサ９で検知すると、差圧センサ９はこの差圧センサ９と一体になっているバルブを開くので、バルーン１０から大量の液体がハウジング１内に供給され、その時にハウジング内の気体が液体とともにノズル２から外部に放出され、従ってハウジング１内に気体は残らず、その後、液体を通常の供給状態にしても、超音波振動子３から発生した超音波はハウジング１内の液体とともにノズル２から放出される。
【０００８】
図２は本発明の他の実施例の超音波洗浄装置の構成図で、１はハウジング、２はノズル、３は超音波振動子、４は液体流入口、５はポンプ、６はタンク、９は差圧センサで、これらの構成は上記実施例と同じであるので、説明は省略するが、本実施例では、瞬時大量液体供給装置１１として、容器１１ａの内部に蛇腹１１ｂを装着し、この蛇腹１１ｂの上部１１ｃと容器１１ａとの間に蛇腹１１ｂの上部１１ｃを押圧するバネ１１ｄが装着されている。
【０００９】
このように構成した実施例の超音波洗浄装置でも、前記実施例と同様に、ポンプ５で液体を供給すると、容器１１ａ内の蛇腹１１ｂ内に液体が供給されて、蛇腹１１ｂの上部１１ｃがバネ１１ｄに抗して上昇することにより液体に圧力を加え、さらにポンプ５で液体を加圧して、液体の圧力が差圧センサ９で検知されて所定の値になった時に、差圧センサ９でバルブを解放すると、瞬時大量液体供給装置１１から大量の液体がハウジング１内に供給されるので、ハウジング１内の気体はこの大量の液体とともにノズル２から外部に放出され、ハウジング１内に液体が充満されるので、その後、液体を通常の供給状態にしても、超音波振動子３から発生した超音波は液体とともにノズル２から放出される。
【００１０】
なお、瞬時大量液体供給装置としては、ポンプ５で液体を供給したときに、大量の液体が蓄えられ、この大量の液体を一度にハウジング１内に放出するものであれば、上記実施例に限るものではない。
【００１１】
【発明の効果】
以上説明したように、本発明の超音波洗浄装置は、瞬時大量液体供給装置に溜められた液体の圧力を差圧センサで検知して、その圧力が所定の値になった時、差圧センサでバルブを開くと、瞬時大量液体供給装置より、大量の液体を一度にハウジング内に供給することにより、ハウジング内の気体は瞬時にノズルより放出され、ハウジング内に泡が無くなり、通常の液体供給状態でも超音波の放出が速やかに行われ、又、超音波振動子の無負荷状態による故障が無くなるという利点がある。
【図面の簡単な説明】
【図１】本発明の実施例の超音波洗浄装置の構成図である。
【図２】本発明の他の実施例の超音波洗浄装置の構成図である。
【図３】従来の超音波洗浄装置の構成図である。
【符号の説明】
１            ハウジング
２            ノズル
３            超音波振動子
４            流入口
５            ポンプ
６            タンク
９            差圧センサ
１０          バルーン
１１          瞬時大量液体供給装置
【図１】
2004148179.tif 000003
【図２】
2004148179.tif 000004
【図３】
2004148179.tif 000005